(57)【要約】【課題】第１に、簡単な構成よりなり、コスト面に優れ、第２に、取付けも簡単容易であり、第３に、しかも強力かつ安定的に取付けることができ、第４に、もって照度向上が実現されると共に、照明器具のランニングコストを低減でき、電力コスト削減に資することができる、直管蛍光灯用の反射板を提案する。【解決手段】この直管蛍光灯用の反射板１は、直管蛍光灯の背後に取付けられ、反射板本体部２と保持部３とを、有してなる。反射板本体部２は、長方形の樹脂シート材よりなり、耐熱性と自己形状保持性と直管蛍光灯の照射光の反射性と、を備えている。保持部３は、反射板本体部２に対する切込みにより、反射板本体部２と一体形成されると共に、貫挿される直管蛍光灯に取付けられる。すなわち保持部３は、外側の環状部分と内側の穴形成部分とを備えると共に、反射板本体部２の長手方向に間隔を置いて複数形成される。【選択図】図１
2013016438.tif 000002
【特許請求の範囲】
【請求項１】
直管蛍光灯の背後に取付けられる反射板であって、反射板本体部と保持部とを有しており、
該保持部は、該反射板本体部に対する切込みにより、該反射板本体部と一体形成されると共に、貫挿される該直管蛍光灯に取付けられること、を特徴とする直管蛍光灯用の反射板。
【請求項２】
請求項１において、該反射板本体部は、長方形のシート材よりなると共に、耐熱性と自己形状保持性と該直管蛍光灯の照射光の反射性と、を備えており、該直管蛍光灯の背後に配され、
該保持部は、該反射板本体部を切込んで形成され、外側の環状部分と、該環状部分に一体連接された内側の穴形成部分と、を備えると共に、該反射板本体部の長手方向に間隔を置いて複数形成されており、
各該保持部は、該環状部分の基端が、該反射板本体部に対し切込まれることなく一体連接されており、該基端を中心に内側へ突出折曲可能であり、突出折曲後に、該直管蛍光灯を該穴形成部分に貫挿することにより、該直管蛍光灯に取付けられること、を特徴とする直管蛍光灯用の反射板。
【請求項３】
請求項２において、該保持部の穴形成部分は、中央から放射方向への切込み加工を伴って形成された各取付片の集合体よりなり、
各該取付片の集合体は、穴状に拡開折曲可能であると共に、拡開折曲に基づく弾発戻り力にて、該直管蛍光灯に取付けられること、を特徴とする直管蛍光灯用の反射板。
【請求項４】
請求項３において、該保持部の穴形成部分は、各該取付片が放射状に集合した凹凸形状をなしていること、を特徴とする直管蛍光灯用の反射板。
【請求項５】
請求項２，３，又は４において、長手方向の中央部分に形成される該保持部は、該環状部分について、該穴形成部分による穴と連通する１本の切れ目が形成されていること、を特徴とする直管蛍光灯用の反射板。
【請求項６】
請求項１，２，３，４，又は５において、該反射板本体部は、樹脂製シート材よりなり、該直管蛍光灯の長さに見合った長さを備えると共に、複数本の折曲線が、長手方向に沿って平行に形成されており、
該反射板本体部は、必要に応じ該折曲線にて折曲可能であり、もって該直管蛍光灯を背後から半ば囲むように湾曲変形可能となっていること、を特徴とする直管蛍光灯用の反射板。
【発明の詳細な説明】
【技術分野】
【０００１】
本発明は、直管蛍光灯用の反射板に関する。すなわち、照明器具の直管蛍光灯の背後に取付けられる、反射板に関するものである。
【背景技術】
【０００２】
《技術的背景》
店舗，オフィス，工場，その他等では、直管蛍光灯を使用した照明器具が多く用いられている。例えば、図５の（１）図に示したように、天井に固定された略逆富士型（断面略逆台形状）の照明器具本体Ａ下に、２本の直管蛍光灯Ｂが、左右のソケットＣを介して取付けられた照明器具が、用いられている。
ところで、店舗，オフィス，工場，その他等々では、最近の経済情勢に鑑み、省エネルギー化の推進そして電力コストの削減が、大きなテーマとなってきている。その一環として、照明器具のランニングコスト低減つまり電気料金低減のニーズも、高まっている。
そこで節電のため、例えば、天井に配された多数の既設の照明器具について、数を間引いて使用したり、又、既設の２灯式の照明器具の直管蛍光灯Ｂについて（図５の（１）図を参照）、２本の内１本を取外して使用したりすることも、行われている。
【０００３】
《従来技術》
このような状況に鑑み、既設の照明器具について、後付けで照度を向上させる技術が開発され、注目を集めている。
すなわち、既設の照明器具の直管蛍光灯Ｂについて、背後側の照明器具本体Ａとの間に、略桶状の反射板を後付けで取付けることにより、上方への照射光を下方へ反射せしめ、もって、下方の照度を向上させる技術が提案されている。
この反射板により、既設の照明器具の照度を向上させ、もって前述したように、例え節電のため、照明器具を間引いたり直管蛍光灯Ｂの本数を減らしても、必要とされる照度を確保し維持せんとする。
【先行技術文献】
【特許文献】
【０００４】
このような従来技術の直管蛍光灯Ｂ用の反射板としては、例えば次の特許文献１，２，３に示されたものが、挙げられる。
【特許文献１】特開２００８−１２３７１５号公報
【特許文献２】特開２０１０−０７３３９１号公報
【特許文献３】特開２０１０−２５７８９７号公報
【発明の概要】
【発明が解決しようとする課題】
【０００５】
《問題点》
ところで、このような従来技術の反射板については、次の課題が指摘されていた。
第１に、引用文献１，２の反射板は、永久磁石を使用して、照明器具本体Ａ（例えば図５の（１）図を参照）に取付けられる。しかしながら、反射板に永久磁石を付設するための加工や専用部材を要し、構成が複雑であり、その分だけ製造コストが嵩む、という問題が指摘されていた。
第２に、引用文献３の反射板は、所定形状に折曲された両端部の開口間に、直管蛍光灯Ｂ（例えば図５の（１）図を参照）を貫挿し、もって直管蛍光灯Ｂに取付けられる。
しかしながら、両端部の正確な折曲設定と精密な開口位置合わせ等を要し、構成が簡単ではなく、その分だけ製造コストが嵩むと共に、取付けも面倒でありイニシャルコストが嵩む、という問題が指摘されていた。
第３に、これら引用文献１，２，３については、反射板の安定的取付に、問題が指摘されていた。取付後における反射板のガタ付き，外れ，落下等、事後不安が指摘され、既設の照明器具本体Ａや各種径の直管蛍光灯Ｂに対して、後付けで確実に取付けられているか、問題が存していた。
なお、上述した引用文献１，２，３の他、同様に後付けで反射板を取付ける従来技術が存在したが（例えば、特殊な取付金具や両面テープを使用して、反射板を直管蛍光灯Ｂや照明器具本体Ａに取付ける）、このような従来技術についても、引用文献１，２，３について上述した第１，第２，第３に準じた問題が、指摘されていた。
【０００６】
《本発明について》
本発明の直管蛍光灯用の反射板は、このような実情に鑑み、上記従来技術の課題を解決すべくなされたものである。
そして本発明は、第１に、コスト面に優れ、第２に、取付けも簡単容易であり、第３に、しかも安定的に取付けることができ、第４に、もって照度向上が実現される、直管蛍光灯用の反射板を提案することを、目的とする。
【課題を解決するための手段】
【０００７】
《各請求項について》
このような課題を解決する本発明の技術的手段は、特許請求の範囲に記載したように、次のとおりである。
請求項１については、次のとおり。
請求項１の直管蛍光灯用の反射板は、直管蛍光灯の背後に取付けられ、反射板本体部と保持部とを有してなる。該保持部は、該反射板本体部に対する切込みにより、該反射板本体部と一体形成されると共に、貫挿される該直管蛍光灯に取付けられること、を特徴とする。
請求項２については、次のとおり。
請求項２の直管蛍光灯用の反射板では、請求項１において、該反射板本体部は、長方形のシート材よりなると共に、耐熱性と自己形状保持性と該直管蛍光灯の照射光の反射性と、を備えており、該直管蛍光灯の背後に配される。
該保持部は、該反射板本体部を切込んで形成され、外側の環状部分と、該環状部分に一体連接された内側の穴形成部分と、を備えると共に、該反射板本体部の長手方向に間隔を置いて複数形成されている。
そして各該保持部は、該環状部分の基端が、該反射板本体部に対し切込まれることなく一体連接されており、該基端を中心に内側へ突出折曲可能である。もって突出折曲後に、該直管蛍光灯を該穴形成部分に貫挿することにより、該直管蛍光灯に取付けられること、を特徴とする。
【０００８】
請求項３については、次のとおり。
請求項３の直管蛍光灯用の反射板では、請求項２において、該保持部の穴形成部分は、中央から放射方向への切込み加工を伴って形成された各取付片の集合体よりなる。
そして、各該取付片の集合体は、穴状に拡開折曲可能であると共に、拡開折曲に基づく弾発戻り力にて、該直管蛍光灯に取付けられること、を特徴とする。
請求項４については、次のとおり。
請求項４の直管蛍光灯用の反射板では、請求項３において、該保持部の穴形成部分は、各該取付片が放射状に集合した凹凸形状をなしていること、を特徴とする。
請求項５については、次のとおり。
請求項５の直管蛍光灯用の反射板では、請求項２，３，又は４において、長手方向の中央部分に形成される該保持部は、該環状部分について、該穴形成部分による穴と連通する１本の切れ目が形成されていること、を特徴とする。
請求項６については、次のとおり。
請求項６の直管蛍光灯用の反射板では、請求項１，２，３，４，又は５において、該反射板本体部は、樹脂製シート材よりなり、該直管蛍光灯の長さに見合った長さを備えると共に、複数本の折曲線が、長手方向に沿って平行に形成されている。そこで該反射板本体部は、必要に応じ該折曲線にて折曲可能であり、もって該直管蛍光灯を背後から半ば囲むように湾曲変形可能となっていること、を特徴とする。
【０００９】
《作用等について》
本発明は、このような手段よりなるので、次のようになる。
（１）この反射板は、反射板本体部と保持部を備えている。
（２）そして反射板は、使用前は全体的に平板状とされており、使用に際し、各保持部が内側に突出折曲（第１次の折曲）される。
（３）それから反射板は、各保持部の穴形成部分に直管蛍光灯を貫挿することにより、直管蛍光灯に取付けられる。
（４）その際、穴形成部分の各取付片が、拡開折曲（第２次の折曲）に基づく弾発戻り力にて、直管蛍光灯に取付けられる。このようにして、穴形成部分，保持部，反射板本体部，そして反射板全体が、直管蛍光灯に取付けられる。
（５）これにより、反射板の反射板本体部が、直管蛍光灯の所定背後位置に位置決めされる。そして反射板本体部は、それまでの平板状から折曲線に沿って折曲可能であり、直管蛍光灯を背後から半ば囲むように、湾曲変形される。
（６）さてそこで、本発明の反射板は以下のようになる。まず、この反射板は、反射板本体部と、反射板本体部を切込んで折曲される保持部とからなり、簡単な構成よりなる。
（７）又、この反射板は、各保持部を内側に突出折曲せしめてから、直管蛍光灯を各保持部の穴形成部分に貫挿せしめることにより、簡単容易に取付けられ使用に供される。
これに加え、この反射板は、直管蛍光灯に直接取付けられるので、各種の照明器具について簡単容易に使用可能である。
又、長手方向の中央部分の保持部に切れ目を形成しておくと、貫挿が一段と簡単容易化する。更に、取付け使用前は全体的に平板状としておけるので、保管や運搬がスペースを取らず簡単容易である。
（８）更に、反射板の取付けは、各保持部の穴形成部分の拡開折曲に基づき、弾発戻り力をホールド力として実施される。そこで反射板は、強力かつ安定的に直管蛍光灯に取付けられる。又、直管蛍光灯は、各種径サイズのものが存在するが、これにもスムーズに対応可能である。
（９）そして、照射光の反射性に優れた反射板本体部が、直管蛍光灯の背後に配されるので、照射光の反射率，照射率が向上し、照度をより向上させることができる。
（１０）さてそこで、本発明の直管蛍光灯用の反射板は、次の効果を発揮する。
【発明の効果】
【００１０】
《第１の効果》
第１に、コスト面に優れている。本発明の直管蛍光灯用の反射板は、その保持部が、樹脂製の反射板本体を切込んで折曲されるという、簡単な構成よりなる。もって、全体的に一体形成品として容易に製造される等、製造コスト面に優れている。
前述したこの種従来技術、例えば、反射板の取付けに永久磁石や専用部材を使用する従来技術や、反射板両端部の正確な折曲設定と精密な開口位置合わせを要する従来技術に比し、大幅なイニシャルコストダウンが実現される。
部材や構成の複雑化が解消され、安価であり、購入し易い低価格が実現される（照明器具に後付け使用される使用態様に鑑み、このような低価格実現の意義は大きい）。
【００１１】
《第２の効果》
第２に、取付けが簡単容易である。本発明の直管蛍光灯用の反射板は、保持部を突出折曲した後、保持部の穴形成部分に直管蛍光灯を通すだけで、スムーズに取付けられる。
すなわち、樹脂シート材製よりなり軽量であることも相俟って、この種作業に経験のない素人でも手軽に簡単容易に、既設の各種の照明器具に後付けで取付け使用可能である。
前述したこの種従来技術に比し、特殊な取付部材や専用部材を用いることもなく、構成も簡単であることに起因して、取付け時の面倒さが解消され、この面からもイニシャルコストダウンが実現される。
なお、長手方向の中央部分の保持部に切れ目を形成しておくと、直管蛍光灯の貫挿が、一段とスムーズ化し簡単容易化する。又、この反射板は、取付け使用前は全体的に平板状としておけるので、保管や運搬がスペースを取ることもなく簡単容易であり、この面からもイニシャルコスト面に優れている。
【００１２】
《第３の効果》
第３に、しかも安定的に取付けられる。本発明の直管蛍光灯用の反射板の取付けは、各保持部の穴形成部分を拡開折曲しつつ、直管蛍光灯を貫挿せしめることにより、拡開折曲に基づく弾発戻り力をホールド力として、実施される。
もって、安定的に確りと強力に直管蛍光灯に取付けられ、前述したこの種従来技術において指摘されていた、事後のガタ付き，外れ，落下等の不安は、解消される。又、各種径サイズの直管蛍光灯にも、スムーズに対応可能である。拡開折曲程度の大小により、各種径サイズに確実にフィット可能であり、この面からも安定的取付けが達成される。
【００１３】
《第４の効果》
第４に、照度向上が実現される。本発明の直管蛍光灯用の反射板では、照射光の反射性に優れた反射板本体が、直管蛍光灯の背後に、直管蛍光灯を半ば囲むように配される。
このような、反射板の後付け採用により、既設の照明器具の照射光の有効利用，照度向上が実現され、既設の照明器具を、より大きな照度のものに変更可能となる。そこで、省エネルギー化の推進そして電力コストの削減、その一環としての照明器具のランニングコスト低減、つまり電気料金低減ニーズにも、容易に対応可能となる。
例えば、既設の天井照明用の照明器具について、節電のため数を間引いて使用したり、直管蛍光灯の本数を抑えるべく取外し減らしても、照明が暗くなるようなことは回避される。
その店舗，オフィス，工場，その他等のエリアにおいて、要求される照度を確保せしめ、維持させることが、本発明の反射板による照度向上により、可能となる。照明の数を減らしても、明るさが変わらず、下方での作業に十分な照度を、確保し維持できるようになる。
このように、この種従来技術に存した課題がすべて解決される等、本発明の発揮する効果は、顕著にして大なるものがある。
【図面の簡単な説明】
【００１４】
【図１】本発明に係る直管蛍光灯用の反射板について、発明を実施するための形態の説明に供し、（１）図は、保持部の突出折曲前の全体底面図である。（２）図は、保持部の突出折曲後の全体平面図、（３）図は、同突出折曲後の側面図、（４）図は、同突出折曲後の上方から見た全体斜視図である。
【図２】同発明を実施するための形態の説明に供し、保持部の説明に供する。そして（１）図は、突出折曲の各種角度を示す正面図である。（２）図は、突出折曲後で拡開折曲前の下方から見た斜視図、（３）図は、突出折曲後で拡開折曲後の下方から見た斜視図である。
【図３】同発明を実施するための形態の説明に供し、保持部の説明に供する。そして（１）図，（２）図は、穴形成部分の他の例を示し、（１）図は、拡開折曲前の下方から見た斜視図、（２）図は、拡開折曲後の下方から見た斜視図である。  （３）図，（４）図は、保持穴形成部分の更に他の例を示し、（３）図は、拡開折曲前の下方から見た斜視図、（４）図は、拡開折曲後の下方から見た斜視図である。  （５）図，（６）図は、環状部分の他の例を示し、（５）図は、穴形成部分の拡開折曲前の下方から見た斜視図、（６）図は、同拡開折曲後の下方から見た斜視図である。
【図４】同発明を実施するための形態の説明に供し、直管蛍光灯を貫挿した使用状態等の説明に供し、側面説明図である。  そして（１）図は、非使用状態を示し、（２）図は、使用状態を示す。（３）図は、１灯式の照明器具と共に使用状態を示し、（４）図は、２灯式の照明器具と共に使用状態を示す。
【図５】同発明を実施するための形態の説明に供し、直管蛍光灯を貫挿した使用状態等の説明に供し、２灯式の照明器具と共に示す。そして（１）図は、非使用状態を示し、（２）図は、使用状態を示す。（３）図は、２灯間の間隔が狭い場合の使用状態を示し、（４）図は、２灯間の間隔がより狭い場合の使用状態を示す。
【発明を実施するための形態】
【００１５】
以下、本発明を実施するための形態について、詳細に説明する。
本発明の直管蛍光灯Ｂ用の反射板１は、直管蛍光灯Ｂの背後に取付けられ、１枚の反射板本体部２と複数の保持部３とを、有している。
《反射板本体部２の概要について》
まず、本発明の反射板１の反射板本体部２について、その概要を説明する。反射板本体部２は、長方形のシート材よりなり、耐熱性と、自己形状保持性と、直管蛍光灯Ｂの照射光の反射性と、を備えており、直管蛍光灯Ｂの背後に配される。
すなわち反射板本体部２は、代表的には樹脂製シート材よりなり、直管蛍光灯Ｂの長さに見合った長さを備えると共に、複数本の折曲線４が、長手方向に沿って平行に形成されている。
そこで反射板本体部２は、必要に応じ折曲線４にて折曲可能であり、もって直管蛍光灯Ｂを背後から半ば囲むように湾曲変形可能となっている。
反射板本体部２の概要については、以上のとおり。
【００１６】
《反射板本体部２の詳細について》
次に、このような反射板本体部２の詳細について、図１更には図２，図４，図５等を参照して、説明する。
まず、反射板本体部２は、直管蛍光灯Ｂに隣接配置されることに鑑み、直管蛍光灯Ｂの表面温度９０℃に十分耐え得る耐熱性、例えば耐熱温度（熱変形温度）１７７℃程度を備えると共に、フレキシブルでない自己形状保持性を備えており、樹脂製シート材，その他のシート材を素材とする。
更に、反射板本体部２のシート材は、その表面少なくとも直管蛍光灯Ｂに対向する下面が、直管蛍光灯Ｂよりの照射光の高反射性を備えており、例えば、白色顔料を含有したり白色顔料が表面塗布されている。
このようなシート材としては、例えば、古川電気工業株式会社が製造販売するＭＣＰＥＴ（登録商標）が、好適である。ＭＣＰＥＴは、微細マイクロ気孔を備えたポリエステル発泡シート材よりなり、全反射率９９％（拡散反射率９６％）と、優れた高反射性を備えている。
【００１７】
又、反射板本体部２は、直管蛍光灯Ｂの長さに見合った長さの長方形をなし、通常は、使用直前まで平らな平板状として準備される。
図１に示した４０Ｗ型の直管蛍光灯Ｂ用の場合は、例えば、（長手方向の）長さ１，１７０ｍｍ程度×（短手方向の）幅１１５ｍｍ程度よりなる。２０Ｗ型の直管蛍光灯Ｂ用の場合は、例えば、長さ５５０ｍｍ程度×幅１１５ｍｍ程度とされる。なお、４０Ｗ型用のものを２０Ｗ型用に使用する場合は、途中で１／２に切断して使用され、又、２０Ｗ型用のものを４０Ｗ型用に使用する場合は、２枚使用される。
反射板本体部２の表面に形成される折曲線４は、図１，図２に示した例では、上面に形成されている（図示例によらず、下面に形成することも可能）。
そして折曲線４は、反射板本体部２の長手方向（左右方向）に沿うと共に、短手方向（前後方向）に間隔を存しつつ平行に、図示例では４本、直線状に形成されている。図示例では、中央の２本間の前後間隔が、他の間隔より広く設定されている。又、折曲線４は、単なる描線として形成することも考えられるが、図示例では、プレス加工溝や切込み溝として形成されている。
そこで反射板本体部２は、それまでの平らな平板状から、折曲線４に沿って折曲可能であり、直管蛍光灯Ｂを背後から半ば囲むように湾曲変形可能である。
【００１８】
代表的には、反射板本体部２は、図１の（４）図，図４の（１）図，（２）図，（３）図等に示したように、略桶状つまり断面アーチ状，円弧状に、全体的に湾曲変形される。
これに対し、図４の（４）図，図５の（３）図に示したように、短手方向の片側だけ湾曲変形され、もう片側は、平らな平板状のままとした例も、可能である。又、図５の（４）図に示したように、短手方向の片側だけ湾曲変形され、もう片側は、例えばハサミ等で２０ｍｍや４０ｍｍ程度切断した例も、考えられる。
なお、図４の（４）図の例は、照明器具本体Ａが、２灯式の略逆富士型（断面略逆台形状）である場合に関する（反射板１が２枚使用されると共に、それぞれの反射板本体部２の平板状部分側が、対応位置せしめられている）。
図５の（３）図の例は、２灯式の直管蛍光灯Ｂ間の左右間隔が、接近している場合に関する（反射板１が２枚使用されると共に、それぞれの反射板本体部２の平板状部分側が、重ねられている）。
図５の（４）図の例は、２灯式の直管蛍光灯Ｂ間の左右間隔が、極めて接近している場合に関する（反射板１が２枚使用されると共に、それぞれの反射板本体部２の平板状部分側が、切断カットされている）。
反射板本体部２の詳細については、以上のとおり。
【００１９】
《保持部３の概要について》
次に、本発明の反射板１の保持部３について、その概要を説明する。保持部３は、反射板本体部２に対する切込みにより、反射板本体部２と一体形成されると共に、貫挿される直管蛍光灯Ｂに取付けられる。そして反射板本体部２の長手方向に、間隔を置いて複数形成される。
すなわち保持部３は、反射板本体部２を切込んで形成され、外側の環状部分５と環状部分５に一体連接された内側の穴形成部分６とを、備えている。そして、環状部分５の基端６は、反射板本体部２に対して切込まれることなく一体連接されており、もって基端６を中心に内側へ突出折曲可能となっている。
そして保持部３は、突出折曲後に直管蛍光灯Ｂを穴形成部分７に貫挿することにより、直管蛍光灯Ｂに取付けられる。
保持部３の概要については、以上のとおり。
【００２０】
《保持部３の詳細について》
次に、このような保持部３の詳細について、図１，図２，図３，図４等を参照して、説明する。
まず保持部３は、反射板本体部２をプレス加工やせん断加工することにより、反射板本体部２を切込んで形成され、もって反射板本体部２と同一のシート材製として、一体形成される。８は、保持部３形成に伴い、反射板本体部２側に形成される抜き穴であり、保持部３に見合った穴形状をなす。
そして保持部３は、反射板本体部２の長手方向（左右方向）に間隔を置きつつ、直列的に複数形成される。
４０Ｗ型用の図１の例では、例えば、長手方向の両端部にそれぞれ１個ずつと中央部に２個、計４個形成されている。図示しない２０Ｗ型用の場合は、例えば、両端部にそれぞれ１個ずつ計２個形成される。勿論、取付けの安定性，確実性の面からは、より多数個形成するようにしてもよい。
【００２１】
そして保持部３は、切込み形成された外側の環状部分５と、内側の穴形成部分７とからなる。環状部分５は、その基端６が反射板本体部２に一体連接されると共に、基端６以外の先端側や左右端側が自由端となっている。
環状部分５の外周形状は、殆どの図示例では、略半円形状をなして示されているが、勿論これに限定されるものではなく、例えば図３の（５）図，（６）図に示した例のように、正方形等の方形も可能である。
保持部３の内側を形成する穴形成部分７は、環状部分５の内側に一体連接されている。そして、中央から放射方向への切込み加工を伴って形成された各取付片９の集合体よりなる。
殆どの図示例では、穴形成部分７として、各取付片９が放射状に集合した凹凸形状をなしたものが示されている。つまり、中央部に事前穴１０を備えると共に内歯車形状をなした、穴形成部分７が示されている。
しかし穴形成部分７は、このような図示例に限定されるものではなく、例えば、図３の（１）図，（２）図に示した例のように、各取付片９が、中央から放射方向への切込み線のみによって形成され、中央に事前穴１０が存しないものも可能である。つまり穴形成部分７を構成する各取付片９の集合体が、中心からの各放射状スリットのみにて区画形成された例も可能である。
更に、図３の（３）図，（４）図に示した例のように、図３の（１）図，（２）図に示した例を更に加工し、中央部に事前穴１０を形成した例も考えられる。なお事前穴１０は、後述するように事後に拡開穴１１に、包含されることになる。
保持部３の詳細については、以上のとおり。
【００２２】
《保持部３による直管蛍光灯Ｂへの取付けについて》
次に、このような保持部３による直管蛍光灯Ｂへの取付けについて、図２，図３，図４，図５等を参照して、説明する。反射板１は、反射板本体部２と保持部３とを備えてなるが、保持部３を介して直管蛍光灯Ｂに取付けられる。
そして、その前提として、まず保持部３が内側に突出折曲される（第１次の折曲）。保持部３は、使用前は、例えば図１の（１）図に示したように、反射板本体部２と共に平らな平板状をなしているが、使用に際しては、例えば図１の（２）図，（３）図,（４）図等に示したように、反射板本体部２から内側つまり下側へ突出折曲される。
すなわち保持部３は、環状部分５の基端６を中心に突出折曲され、基端６には、このような突出折曲を容易化すべく、折曲線が添設されている。
図２の（１）図には、このような突出折曲の各種角度が示されており、反射板本体部２に対して直角に垂下突出折曲される例が代表的であるが、上側の照明器具本体Ａと下側の直管蛍光灯Ｂ間の上下間隔が、詰まり接近しているケースでは、傾斜角度を鋭角として突出折曲される。
【００２３】
このように、保持部３が突出折曲されたことを前提に、保持部３の穴形成部分７に、直管蛍光灯Ｂを貫挿することにより、反射板１が直管蛍光灯Ｂに取付けられる。
直管蛍光灯Ｂは、照明器具本体部２下に、左右のソケットＣを介して取付けられているが（図５の（１）図を参照）、このような貫挿に際しては、ソケットＣ間から一旦取外される。そして直管蛍光灯Ｂは、貫挿完了後に、ソケットＣ間に再度取付けられる（図５の（２）図を参照）。
そして、このような穴形成部分７への直管蛍光灯Ｂの貫挿に際しては、穴形成部分７を構成する各取付片９の集合体が、中央部に拡開穴１１を形成しつつ、拡開折曲される（第２次の折曲、つまり上述した突出折曲つまり第１次の折曲の次に実施される折曲）。取付片９は、このように外側に向け自由端側から拡開折曲可能であり、拡開折曲を容易化すべく、折曲線がその基端に添設されている。
図２の（１）図，図３の（１）図，（３）図，（５）図，図４の（１）図等は、穴形成部分７が、環状部分５と面一な拡開折曲前の状態を示す。これに対し、図２の（２）図，図３の（２）図，（４）図，（６）図，図４の（２）図，（３）図，（４）図，図５の（（３）図，（４）図等は、穴形成部分７が、環状部分５に対し拡開折曲された後の状態を示す。
ところで、拡開折曲状態の形成については、直管蛍光灯Ｂの貫挿による例が代表的であるが、これによらず、予め予備的に指等で、拡開折曲状態直前まで事前に拡開折曲しておいてから、直管蛍光灯Ｂを貫挿するようにしてもよい。
そして、拡開折曲状態となった穴形成部分７、つまり取付片９の集合体については、中央部に拡開穴１１が形成される。なお、予め事前穴１０が形成されていた例にあっては、事前穴１０を包含，吸収しつつ、より径大な穴として拡開穴１１が形成される。
【００２４】
拡開穴１１は、円状穴をなし直管蛍光灯Ｂの径と同一径よりなるが、各取付片９を拡開押圧力を伴って拡開折曲することにより、形成される。そこで各取付片９には、この拡開押圧力に抗した弾発力，戻り力が作用し、もって貫挿された直管蛍光灯Ｂを保持する。
このように、穴形成部分７を構成する各取付片９の集合体は、拡開穴１１を形成しつつ拡開折曲可能であると共に、拡開折曲に基づく弾発戻り力がホールド力となって、直管蛍光灯Ｂに取付けられる。取付片９は、予めこのような弾発力を備えるに足る寸法設定や弾性設定等よりなる。
保持部３による直管蛍光灯Ｂへの取付けについては、以上のとおり。
【００２５】
《作用等》
本発明の直管蛍光灯Ｂの反射板１は、以上説明したように構成されている。そこで、以下のようになる。
（１）この反射板１は、１枚の反射板本体部２と複数個の保持部３とを、備えている（図１を参照）。
反射板本体部２は、樹脂製シート材等よりなり、折曲線４が形成されている。保持部３は、外側の環状部分５と内側の穴形成部分７とからなり、環状部分５の基端６が、反射板本体部２に一体連接されている。
【００２６】
（２）そして反射板１は、通常、取付け使用直前まで、全体的に平らな平板状のままとされている（図１の（１）図を参照）。
使用に際しては、各保持部３が、環状部分５の基端６を中心に、反射板本体部２から内側つまり下側に突出折曲される（第１次の折曲）（図１の（２）図，（３）図，（４）図等を参照。更には、図２の（１）図，図３の（１）図，（３）図，（５）図，図４の（１）図等を参照）。
【００２７】
（３）それから反射板１は、このように突出折曲された各保持部３を介して、直管蛍光灯Ｂに取付けられる。
すなわち反射板１は、長手方向（左右方向）に直列的に並んで位置する各保持部３の穴形成部分７について、順次、直管蛍光灯Ｂを一端側から貫挿して行くことにより、直管蛍光灯Ｂに取付けられる。直管蛍光灯Ｂは、照明器具本体Ａ下に左右のソケットＣを介して取付けられているが、貫挿に際しては一旦取外され、貫挿完了後にソケットＣ間に再度取付けられる（図５の（１）図，（２）図を参照）。
そして、このような直管蛍光灯Ｂの貫挿に際しては、保持部３の穴形成部分７を構成する各取付片９の集合体が、それまでの環状部分５と面一な拡開折曲前の状態から、中央部に直管蛍光灯Ｂと同一径の拡開穴１１を形成しつつ、拡開折曲される（上記第１次の折曲に対し第２次の折曲）（図２の（２）図，図３の（２）図，（４）図，（６）図，図４の（２）図，（３）図，（４）図，図５の（３）図，（４）図等を参照）。
【００２８】
（４）その際、各取付片９は、拡開押圧力を伴って拡開折曲される。従って、各取付片９には、拡開押圧力に対応した弾発力，戻り力がホールド力として作用し、もって貫挿された直管蛍光灯Ｂに取付けられる。
このように、取付片９の集合体が、拡開折曲に基づく弾発戻り力にて、直管蛍光灯Ｂに取付けられる。
【００２９】
（５）又、このような保持部３に一体形成された反射板本体部２は、直管蛍光灯Ｂの背後に、所定間隔を存して位置決めされる（図４の（２）図，（３）図，（４）図，図５の（２）図，（３）図，（４）図等を参照）。
すなわち、反射板１の反射板本体部２は、直管蛍光灯Ｂの上側にて、所定上下間隔を存して定置される。突出折曲された保持部３の環状部分５の基端部の上下寸法、および、これに拡開折曲された穴形成部分７つまり取付片９の肉厚程度を加えた、所定上下間隔を存して、直管蛍光灯Ｂ上に位置決めされる。
【００３０】
ところで、反射板本体部２は、それまでの平らな平板状から、折曲線４に沿って折曲可能である。直管蛍光灯Ｂを背後から半ば囲むように、湾曲変形可能である。
そして代表的には、断面アーチ状に全体的に湾曲変形される（図４の（１）図，（２）図，（３）図等を参照）。又、短手方向の片側だけ湾曲変形され、残りの片側は平板状のままとした例や（図４の（４）図，図５の（３）図を参照）、片側だけ湾曲変形され、残りの片側は切断した例（図５の（４）図）も、可能である。
【００３１】
（６）さてそこで、本発明の反射板１は、以下のようになる。まず、この反射板１は、反射板本体部２と、この反射板本体部２を切込んで折曲される保持部３とからなり、簡単な構成よりなる。
環状部分５と穴形成部分７とからなる保持部３は、反射板本体部２を例えば１回だけプレス加工やせん断加工等することにより、切込み製作されると共に、折曲により使用に供される。このように、この反射板１は簡単な一体形成品として、容易に製造可能である。
【００３２】
（７）又、この反射板１は、簡単容易に取付けられ使用に供される。すなわち反射板１は、使用に際し、まず各保持部３を、環状部分５の基端６で、内側つまり下側に突出折曲せしめられる（第１次の折曲）。
それから直管蛍光灯Ｂを、各保持部３の穴形成部分７に貫挿し、取付片９の集合体を拡開折曲せしめるだけで（第２次の折曲）、直管蛍光灯Ｂに取付けられ使用に供される。
【００３３】
これに加え、この反射板１は、照明器具本体Ａではなく直管蛍光灯Ｂに対して、直接取付ける方式よりなる。そこで各種態様の照明器具に、簡単容易に取付け使用可能である。
すなわち、照明器具本体Ａには各種の形状や構造が存し、笠（シェード）付の場合もあり、更には、２灯式の直管蛍光灯Ｂ間の間隔が接近している場合もあるが、これらに容易に対応可能である。
例えば、保持部３の突出折曲角度の設定や（図２の（１）図を参照）、反射板本体部２の湾曲変形の有無や（図４の各図，図５の（１）図を参照）、更には、必要な場合の切断（図５の（４）図を参照）等により、これらにフィットしつつ取付け使用可能である。
【００３４】
又、この反射板１は、長手方向の中央部分に形成される（図１の（１）図，（４）図に示した例では２個の）保持部３について、その環状部分５の先端部側に、内側の穴形成部分７による穴と連通する、１本の切れ目１２を形成しておくと、貫挿が一段と簡単容易化する。
すなわち、直管蛍光灯Ｂを各保持部３に対し順次貫挿して行く際、直管蛍光灯Ｂが、途中の保持部３に引っ掛かることが時々ある。つまり、各保持部３の穴形成部分７の中心を、同一直線上に同軸に揃えることが困難化し、もって揃わない保持部３に、直管蛍光灯Ｂが引っ掛かってしまうことが時々ある。
これに対し、保持部３に切れ目１２を形成しておくと、切れ目１２によって、放射方向に拡開可能な弾性的余裕が付与され、もって直管蛍光灯Ｂが滑りを伴ってスムーズに貫挿され、途中の保持部３への引っ掛かりが解消される。
【００３５】
更に、この反射板１は、取付け使用直前まで、全体的に平板状としておけるので（図１の（１）図を参照）、保管時や運搬時に嵩ばってスペースを取るようなこともない。
すなわち、取付け使用時に、保持部３の突出折曲、穴形成部分７の拡開折曲、反射板本体部２の湾曲変形、等を実施すれば良く、それまでは、平らな平板状としておけるので、保管や運搬が簡単容易である。
【００３６】
（８）更に、この反射板１の取付けは、各保持部３の穴形成部分７を拡開折曲しつつ、直管蛍光灯Ｂを貫挿せしめることにより行われる。
すなわち取付けは、保持部３の穴形成部分７の各取付片９の集合体を、拡開穴１１を存すべく拡開折曲せしめることに基づき、行われる。もって、拡開折曲に基づく弾発戻り力をホールド力として、各取付片９の集合体を、直管蛍光灯Ｂに強く接触せしめることにより、実施される。
従って、穴形成部分７，保持部３，反射板本体部２が、直管蛍光灯Ｂに強力かつ安定的に取付けられる。反射板１全体が、直管蛍光灯Ｂを介し、照明器具本体Ａ下に安定的に取付けられるようになる。
【００３７】
又、取付対象の直管蛍光灯Ｂについては、各種径サイズのものが存在するが、この反射板１は、大サイズのものから小サイズのものまで、各種径の直管蛍光灯Ｂにスムーズに対応可能である。
すなわち、保持部３の穴形成部分７について、その各取付片９の集合体の拡開折曲程度の大小変化に基づき、各種径の直管蛍光灯Ｂに対し、確実に追従，フィット可能であり、安定的に取付けられるようになる。
【００３８】
（９）そして、この反射板１では、照射光の反射性に優れた反射板本体部２が、直管蛍光灯Ｂの背後に配される。代表的には、直管蛍光灯Ｂを半ば囲むように配される。
もって、直管蛍光灯Ｂの上方への照射光を、確実に下方へと反射せしめることができる。照射光の下方への反射率，照射率を向上させることにより、下方の照度を一段と向上させることが可能となる。
【００３９】
（１０）なお、この反射板１は、反射板本体部２について、文字，絵，記号，キャラクター等を切り抜いたり、ステッカー等を貼り付けることにより、インテリア性，趣味感を向上させて使用に供することが可能である。
又、この反射板１は、反射板本体部２を直管蛍光灯Ｂの背後側，後側ではなく、下側，前側に位置決めすることにより、間接照明用として使用する態様も考えられる。
本発明の作用等については、以上の通り。
【実施例】
【００４０】
ここで、本発明の実施例について、説明しておく。
図１に示した本発明の直管蛍光灯Ｂ用の反射板１を、図４の（４）図や図５の（２）図に示したように適用した実施例について、形成される照度データを実測した。これと共に、図５の（１）図に示した従来例についても、同条件のもとで形成される照度データを実測して、両者を比較した。
１）まず前提条件については、次のとおり。
・直管蛍光灯Ｂ：４０Ｗ型２本を使用
・直管蛍光灯Ｂと照度測定面との上下距離：１．７４ｍ
２）従来例の実測照度データについては、次のとおり。
・直  下  位  置：３５０Ｌｕｘ
・直下から側方に１ｍ離れた位置
：１７０Ｌｕｘ
・直下から側方に２ｍ離れた位置
：  ６５Ｌｕｘ
３）本発明の実施例の実測照度データについては、次のとおり。カッコ内は、上記従来例と比較した照度アップ率を示す。
・直  下  位  置：４３０Ｌｕｘ（２３％アップ）
・直下から側方に１ｍ離れた位置
：２０７Ｌｕｘ（２２％アップ）
・直下から側方に２ｍ離れた位置
：  ７４Ｌｕｘ（１４％アップ）
４）このように、本発明の実施例は従来例に比し、直下を中心に確実な照度向上が実測された。例えば、「事務所衛生基準規則」で必要とされる３００Ｌｕｘ以上の照度が、直下のより広範囲で確保されるのを始め、より広範囲にわたり照度がアップする等、下方での作業に十分な照度が得られることが証明された。
実施例については、以上のとおり。
【符号の説明】
【００４１】
１    反射板
２    反射板本体部
３    保持部
４    折曲線
５    環状部分
６    基端
７    穴形成部分
８    抜き穴
９    取付片
１０  事前穴
１１  拡開穴
１２  切れ目
Ａ    照明器具本体
Ｂ    直管蛍光灯
Ｃ    ソケット
【図１】
2013016438.tif 000003
【図２】
2013016438.tif 000004
【図３】
2013016438.tif 000005
【図４】
2013016438.tif 000006
【図５】
2013016438.tif 000007